(57)【要約】      （修正有）【課題】一つの画面に大小の対象画像が同時に存在する場合には、大小の対象画像に対して異なる精細度調整を効果的に行うことを可能とする。【解決手段】信号バッファリング回路１１０は、パルス数に応じて少なくとも一つの第１のパルス群と、少なくとも一つの第２のパルス群とを含む画像信号を信号源２１０から取得する。対象画像識別回路１２０はパルス群に応じて電圧の異なる第１の対象画像信号と第２の対象画像信号に変換する。画質精細度増強回路１４０は、電圧に基づいて、第１の対象画像精細度信号及び第２の対象画像精細度信号に変換する。動的精細度調整装置１００は大小の対象画像に対してそれぞれ異なる精細度調整を行うことが可能である。これ以外にも、動的精細度調整方法も開示する。【選択図】図１
2010166542.tif 000002
【特許請求の範囲】
【請求項１】
パルス数が第２のパルス群のパルス数よりも多い少なくとも一つの第１のパルス群と、少なくとも一つの第２のパルス群とを含む画像信号を信号源から取得する信号バッファリング回路と、
前記第１のパルス群を電圧が第２の対象画像信号の電圧よりも高い第１の対象画像信号に変換するとともに、前記第２のパルス群を第２の対象画像信号に変換する対象画像識別回路と、
前記第１の対象画像信号の電圧および前記第２の対象画像信号の電圧を昇圧させる電圧コンバータと、
前記第１の対象画像信号が昇圧された後の電圧および前記第２の対象画像信号が昇圧された後の電圧に基づいて、前記画像信号中から前記第１のパルス群および前記第２のパルス群を切り分けて、さらに前記第１のパルス群を少なくとも一つの第１の対象画像精細度信号に変換するとともに、前記第２のパルス群を少なくとも一つの第２の対象画像精細度信号に変換する画質精細度増強回路と、を備えた、ことを特徴とする動的精細度調整装置。
【請求項２】
前記第１の対象画像精細度信号および前記第２の対象画像精細度信号を画像処理システムに入力することで、前記画像処理システムが前記第１の対象画像精細度信号に基づいて画像中における第１の対象画像の精細度を前記第２の対象画像よりも高くなるように調整するとともに、前記第２の対象画像精細度信号に基づいて前記画像中における第２の対象画像の精細度を調整するインピーダンスマッチングおよび増幅回路を更に備えたことを特徴とする請求項１に記載の動的精細度調整装置。
【請求項３】
前記信号バッファリング回路が、前記信号源に電気的に接続されているエミッタ・フォロワを備えたことを特徴とする請求項１に記載の動的精細度調整装置。
【請求項４】
前記対象画像識別回路が、
前記エミッタ・フォロワに電気的に接続されている微分器と、
前記微分器に電気的に接続されているクランパと、
前記クランパに電気的に接続されている積分器と、を備えたことを特徴とする請求項１に記載の動的精細度調整装置。
【請求項５】
前記電圧コンバータが、
前記積分器に電気的に接続されているオペアンプを備えたことを特徴とする請求項１に記載の動的精細度調整装置。
【請求項６】
前記画質精細度増強回路が、
前記オペアンプに電気的に接続されているアナログスイッチと、
前記エミッタ・フォロワおよび前記アナログスイッチに電気的に接続されている微分回路と、を備えたことを特徴とする請求項１に記載の動的精細度調整装置。
【請求項７】
パルス数が第２のパルス群のパルス数よりも多い少なくとも一つの第１のパルス群と、少なくとも一つの第２のパルス群とを含む画像信号を信号源から取得するステップと、
前記第１のパルス群を電圧が第２の対象画像信号の電圧よりも高い第１の対象画像信号に変換するとともに、前記第２のパルス群を第２の対象画像信号に変換するステップと、
前記第１の対象画像信号の電圧および前記第２の対象画像信号の電圧を昇圧させるステップと、
前記第１の対象画像信号が昇圧された後の電圧および前記第２の対象画像信号が昇圧された後の電圧に基づいて、前記画像信号中から前記第１のパルス群および前記第２のパルス群を切り分けて、さらに前記第１のパルス群を少なくとも一つの第１の対象画像精細度信号に変換するとともに、前記第２のパルス群を少なくとも一つの第２の対象画像精細度信号に変換するステップと、を含むことを特徴とする動的精細度調整方法。
【請求項８】
前記第１の対象画像精細度信号に基づいて画像中における第１の対象画像の精細度を前記第２の対象画像よりも高くなるように調整するとともに、前記第２の対象画像精細度信号に基づいて前記画像中における第２の対象画像の精細度を調整するステップを更に含むことを特徴とする請求項７に記載の動的精細度調整方法。
【発明の詳細な説明】
【技術分野】
【０００１】
本発明は電子装置およびその方法に関し、特に動的精細度調整装置および動的精細度調整方法に関する。
【背景技術】
【０００２】
一般的には、信号源が画像信号を表示装置に出力して、表示装置は画像信号に応じて画像を表示している。これにより、使用者は表示装置に表示されている画像を見ることができる。
【０００３】
しかしながら、現在製品化されているものにおいて、多くはソフトウェアにより画像信号処理を行うものであるが、入力された画像信号に瞬時に反応できず、多くの場合、まず一時的に保存しておき、比率に応じて全体の調整を行うので、仮に一つの画面に大小の対象画像が同時に存在する場合でも、一つの画質でしか表示できなかった。
【発明の概要】
【発明が解決しようとする課題】
【０００４】
これに鑑み、大小の対象画像に対して如何に異なる精細度調整を効果的に行うかということが重要な課題となってきた。
【課題を解決するための手段】
【０００５】
本発明は、大小の対象画像に対してそれぞれ異なる精細度調整を行うことが可能な動的精細度調整装置を提供するものである。
【０００６】
本発明の一実施例によれば、動的精細度調整装置は、信号バッファリング回路と、対象画像識別回路と、電圧コンバータと、画質精細度増強回路とを備えている。信号バッファリング回路は、パルス数が第２のパルス群のパルス数よりも多い少なくとも一つの第１のパルス群と、少なくとも一つの第２のパルス群とを含む画像信号を信号源から取得する。対象画像識別回路は第１のパルス群を電圧が第２の対象画像信号の電圧よりも高い第１の対象画像信号に変換するとともに、第２のパルス群を第２の対象画像信号に変換する。電圧コンバータは第１の対象画像信号の電圧および第２の対象画像信号の電圧を昇圧させる。画質精細度増強回路は、第１の対象画像信号が昇圧された後の電圧および第２の対象画像信号が昇圧された後の電圧に基づいて、画像信号中から第１のパルス群および第２のパルス群を切り分けて、さらに第１のパルス群を少なくとも一つの第１の対象画像精細度信号に変換するとともに、第２のパルス群を少なくとも一つの第２の対象画像精細度信号に変換する。
【０００７】
本発明は更に、大小の対象画像に対してそれぞれ異なる精細度調整を行うことが可能な動的精細度調整方法を提供するものである。
【０００８】
本発明の他の実施例によれば、動的精細度調整方法は、
（１）パルス数が第２のパルス群のパルス数よりも多い少なくとも一つの第１のパルス群と、少なくとも一つの第２のパルス群とを含む画像信号を取得するステップと、
（２）第１のパルス群を電圧が第２の対象画像信号の電圧よりも高い第１の対象画像信号に変換するとともに、第２のパルス群を第２の対象画像信号に変換するステップと、
（３）第１の対象画像信号の電圧および第２の対象画像信号の電圧を昇圧させるステップと、
（４）第１の対象画像信号が昇圧された後の電圧および第２の対象画像信号が昇圧された後の電圧に基づいて、画像信号中から第１のパルス群および第２のパルス群を切り分けて、さらに第１のパルス群を少なくとも一つの第１の対象画像精細度信号に変換するとともに第２のパルス群を少なくとも一つの第２の対象画像精細度信号に変換するステップと、を含む。
【発明の効果】
【０００９】
このように、動的精細度調整装置は、小さな対象画像に対応する第１のパルス群と、大きな対象画像に対応する第２のパルス群とを即時的に判別するとともに、異なる精細度信号として調整することができる。
【００１０】
このように、動的精細度調整方法は、小さな対象画像に対応する第１のパルス群と、大きな対象画像に対応する第２のパルス群とを即時的に判別するとともに、異なる精細度信号として調整することができる。
【図面の簡単な説明】
【００１１】
【図１】本発明の一実施例に係る動的精細度調整装置のブロック図である。
【図２】図１の対象画像識別回路の機能を示す図である。
【図３】図１の動的精細度調整装置の回路図である。
【図４】二種類の画像の取り込み図である。
【図５】本発明の他の実施例に係る動的精細度調整方法のフローチャートである。
【発明を実施するための形態】
【００１２】
以下、各種実施例をもって、上記した説明および次の実施形態について詳細な説明を行うとともに、本発明についてより詳しい説明を行う。
【００１３】
本発明の記述をより詳細化して、充実させるためには、添付の図面および下記する各種実施例を参照することができる。図中同じ符号は同一または類似した構成要素を表わしている。また、本発明への不要な制限を避けるために、公知されている部材・素子および手順は実施例中には記載しない。
【００１４】
本発明の技術態様は動的精細度調整装置であり、この装置は表示装置に応用されるか、または関連する一連の技術体系に広く応用することができる。特筆すべきは、本技術態様の動的精細度調整装置は、大小の対象画像に対してそれぞれ異なる精細度調整を行うことが可能であるところである。以下、図１ないし図３を合わせて、この動的精細度調整装置の具体的な実施形態を説明する。
【００１５】
図１を参照する。図１は本発明の一実施例に係る動的精細度調整装置１００のブロック図である。図示するように、動的精細度調整装置１００は信号源２１０に電気的に接続されている。
【００１６】
信号源２１０は画像信号を提供する。この画像信号には少なくとも一つの第１のパルス群と少なくとも一つの第２のパルス群とが含まれており、このうち第１のパルス群は、例えば林、山、草地などといった画像中における小さな対象画像を表わし、第２のパルス群は人物、家または車などといった画像中における大きな対象画像を表わすことができる。画像中において、小さな対象画像を構成する輪郭数は大きな対象画像を構成する大きな対象画像の輪郭数よりも多いので、第１のパルス群におけるパルス数は第２のパルス群におけるパルス数よりも多くなっている。
【００１７】
実用においては、信号源２１０は、画像信号を出力する一般的なＤＶＤまたは信号発生装置の出力端子とすることができる。しかしながら、ここでは本発明を限定することせず、その他の各種ハードウェア回路もまた信号源２１０の実施形態としてもよい。
【００１８】
応用においては、動的精細度調整装置１００は小さな対象画像に対応する第１のパルス群と、大きな対象画像に対応する第２のパルス群とを即時的に判別して、処理を行うことができる。図１において、動的精細度調整装置１００は信号バッファリング回路１１０と、対象画像識別回路１２０と、電圧コンバータ１３０と、画質精細度増強回路１４０とを備えている。
【００１９】
構造上、信号バッファリング回路１１０は信号源２１０に電気的に接続されている。信号バッファリング回路１１０は対象画像識別回路１２０に電気的に接続されている。対象画像識別回路１２０は電圧コンバータ１３０に電気的に接続されている。電圧コンバータ１３０は画質精細度増強回路１４０に電気的に接続されるとともに、画質精細度増強回路１４０は信号バッファリング回路１１０に電気的に接続されている。
【００２０】
使用時においては、信号バッファリング回路１１０は信号源２１０から、パルス数が第２のパルス群のパルス数よりも多い少なくとも一つの第１のパルス群と、少なくとも一つの第２のパルス群とを含む画像信号を取得する。対象画像識別回路１２０は第１のパルス群を電圧が第２の対象画像信号の電圧よりも高い第１の対象画像信号に変換するとともに、第２のパルス群を第２の対象画像信号に変換する。電圧コンバータ１３０は第１の対象画像信号の電圧および第２の対象画像信号の電圧を昇圧させる。画質精細度増強回路１４０は、第１の対象画像信号が昇圧された後の電圧および第２の対象画像信号が昇圧された後の電圧に基づいて、画像信号中から第１のパルス群および第２のパルス群を切り分けて、さらに第１のパルス群を少なくとも一つの第１の対象画像精細度信号に変換するとともに、第２のパルス群を少なくとも一つの第２の対象画像精細度信号に変換する。
【００２１】
このように、動的精細度調整装置１００は、小さな対象画像に対応する第１のパルス群と、大きな対象画像に対応する第２のパルス群とを即時的に判別するとともに、異なる精細度信号として調整することができる。
【００２２】
引き続き図１を参照する。図示するように、動的精細度調整装置１００はインピーダンスマッチングおよび増幅回路１５０を更に備えている。構造上、インピーダンスマッチングおよび増幅回路１５０は画像処理システム２２０に電気的に接続されている。使用時においては、インピーダンスマッチングおよび増幅回路１５０は第１の対象画像精細度信号および第２の対象画像精細度信号を画像処理システム２２０に入力することで、画像処理システム２２０が第１の対象画像精細度信号に基づいて画像中における第１の対象画像の精細度を第２の対象画像よりも高くなるように調整するとともに、第２の対象画像精細度信号に基づいて画像中における第２の対象画像の精細度を調整する。
【００２３】
このように、動的精細度調整装置１００は大小の対象画像のために異なる精細度の信号を出力することで、画像処理システム２２０が画像中における小さな対象画像および大きな対象画像に対してそれぞれ異なる精細度を調整することができる。
【００２４】
前記画像処理システム２２０は、テレビジョン受像機または類似した装置といった表示装置に適用することができる。同様に、上掲したテレビジョン受像機は例示に過ぎず、本発明を限定するためのものではなく、当業者が需要に応じて、画像処理システム２２０の具体的な実施形態を柔軟に選択することができる。
【００２５】
図２を参照する。図２は図１の対象画像識別回路１２０の機能を示す図である。図示するように、画像中には小さな対象画像３１０と、大きな対象画像３２０とが含まれており、小さな対象画像３１０を構成する輪郭数は大きな対象画像３２０を構成する輪郭数よりも多い。この画像に対応する画像信号には、画像中における小さな対象画像３１０を表わす第１のパルス群３１２と、画像中における大きな対象画像３２０を表わす第２のパルス群３２２とが含まれている。対応するように、第１のパルス群３１２中におけるパルス数は第２のパルス群３２２中におけるパルス数よりも多い。
【００２６】
前記対象画像識別回路は第１のパルス群３１２を第１の対象画像信号３１４に変換するとともに、第２のパルス群３２２を第２の対象画像信号３２４に変換する。第１の対象画像信号３１４の電圧は第２の対象画像信号３２４の電圧よりも高い。
【００２７】
動的精細度調整装置１００をより明確に、そして詳細に説明するために、図３を参照する。図３は図１の動的精細度調整装置１００の回路図である。図示するように、信号バッファリング回路１１０はエミッタ・フォロワを含む。本実施例において、エミッタ・フォロワはキャパシタＣ１と、抵抗器Ｒ１、Ｒ２、Ｒ３と、バイポーラトランジスタＱ１とを備えている。構造上、エミッタ・フォロワは信号源２１０に電気的に接続されている。使用時においては、信号源２１０が一般的に２Ｖｐｐの画像信号を出力して、エミッタ・フォロワは２Ｖｐｐの画像信号を取得する。エミッタ・フォロワは定電圧電源として画像信号の電流を増幅した後、対象画像識別回路１２０および画質精細度増強回路１４０に送出する。
【００２８】
対象画像識別回路１２０は微分器と、クランパと、積分器とを備えている。本実施例において、微分器はキャパシタＣ４と抵抗器Ｒ９とを備えており、クランパは抵抗器Ｒ１０と、トランジスタＱ３と、ダイオードＤ１とを備えており、積分器は抵抗器Ｒ１０またはＲ１５と、キャパシタＣ５とを備えている。構造上、前記エミッタ・フォロワは微分器に電気的に接続されており、微分器はクランパに電気的に接続されており、クランパは積分器に電気的に接続されている。使用時においては、微分器は画像信号中の第１のパルス群および第２のパルス群を取出して、クランパによりクランプされた後、積分器によりそれぞれ第１の対象画像信号および第２の対象画像信号として結集された後に出力される。
【００２９】
電圧コンバータ１３０はオペアンプを備えている。本実施例において、オペアンプの型番は例えば高倍率増幅器であるＵ１ＡＬＭ８３３である。構造上、前記積分器はオペアンプに電気的に接続されている。使用時においては、前記積分器が出力したこれら対象画像信号の電圧が小さすぎるため、オペアンプによりこれら対象画像信号の電圧を昇圧させる。
【００３０】
画質精細度増強回路１４０はアナログスイッチと、微分回路とを備えている。本実施例において、アナログスイッチはＭＯＳ電界効果トランジスタＱ２を備えている。微分回路はキャパシタＣ２と、抵抗器Ｒ４、Ｒ５、Ｒ６とを備えている。構造上、前記オペアンプはアナログスイッチに電気的に接続され、前記エミッタ・フォロワは微分回路に電気的に接続され、アナログスイッチは微分回路に電気的に接続されている。使用時においては、画質精細度増強回路１４０は画像信号とこれら対象画像信号を混成処理した後に前記したインピーダンスマッチングおよび増幅回路１５０に出力するものであるが、これはＭＯＳ電界効果トランジスタＱ２の切断もしくは導通、またはインピーダンスの大小変化により、これら抵抗器Ｒ４、Ｒ５、Ｒ６で構成されているインピーダンスの大きさを調節し、ひいては微分幅の制御を実現する。これにより、もし電圧コンバータ１３０に第１の対象画像信号が入力されると、ＭＯＳ電界効果トランジスタＱ２が導通して、微分回路は画像信号中における第１のパルス群を第１の対象画像精細度信号に変換するとともに、精細度信号の出力を１Ｖｐｐにまで低減させる。また、インピーダンスマッチングおよび増幅回路１５０はこれら精細度信号をインピーダンスマッチングさせるとともに、２Ｖｐｐとして増幅して出力できる。
【００３１】
上記をまとめるに、動的精細度調整装置１００は画像信号の相違に応じて、輪郭の精細度を自動的に調節して、画面により立体的な効果をもたらすことができる。これ以外に、動的精細度調整装置１００はアナログ回路とすることで、画像中における大小の対象画像のいずれにも随時補償を行うことができる。
【００３２】
図４を参照する。図４は二種類の画像の取り込み図である。画像４１０は動的精細度調整装置１００により調整された後の画像である。反対に、画像４２０は動的精細度調整装置１００による調整前の画像である。比較してみると、画像４１０中にて円で囲んだ小さな対象画像の部分は、画像４２０中にて円で囲んだ小さな対象画像よりも確かに精細である。
【００３３】
本発明の他の技術態様は動的精細度調整方法であり、この方法は表示装置に応用されるか、または関連する一連の技術体系に広く応用することができる。特筆すべきは、本技術態様の動的精細度調整方法は、大小の対象画像に対してそれぞれ異なる精細度調整を行うことが可能であるところである。以下、図５を合わせて、この動的精細度調整方法の具体的な実施形態を説明する。
【００３４】
図５を参照する。図５は本発明の他の実施例に係る動的精細度調整方法５００のフローチャートである。本実施例において開示するステップは、その順序が特に明記してあるものを除き、実際のニーズに応じて前後順序を調整でき、場合によっては同時または一部を同時に実行することができるということを理解されたい。これらステップを実質ハードウェア装置については、上記した一実施例にてすでに具体的に開示済みであるので、ここでは重複してこれを説明することはしない。図５に示すように、動的精細度調整方法５００は下記ステップ５１０〜５４０を含む。
【００３５】
ステップ５１０：パルス数が第２のパルス群のパルス数よりも多い少なくとも一つの第１のパルス群と、少なくとも一つの第２のパルス群とを含む画像信号を取得する。
【００３６】
ステップ５２０：第１のパルス群を電圧が第２の対象画像信号の電圧よりも高い第１の対象画像信号に変換するとともに、第２のパルス群を第２の対象画像信号に変換する。
【００３７】
ステップ５３０：第１の対象画像信号の電圧および第２の対象画像信号の電圧を昇圧させる。
【００３８】
ステップ５４０：第１の対象画像信号が昇圧された後の電圧および第２の対象画像信号が昇圧された後の電圧に基づいて、画像信号中から第１のパルス群および第２のパルス群を切り分けて、さらに第１のパルス群を少なくとも一つの第１の対象画像精細度信号に変換するとともに、第２のパルス群を少なくとも一つの第２の対象画像精細度信号に変換する。
【００３９】
このように、動的精細度調整方法５００では、小さな対象画像に対応する第１のパルス群と、大きな対象画像に対応する第２のパルス群とを即時的に判別するとともに、異なる精細度信号として調整することができる。
【００４０】
引き続き図５を参照する。図示するように、動的精細度調整方法５００は、ステップ５５０：第１の対象画像精細度信号に基づいて、画像中における第１の対象画像の精細度を第２の対象画像よりも高くなるように調整するとともに、第２の対象画像精細度信号に基づいて第２の対象画像中における第２の対象画像の精細度を調整する、を更に含む。
【００４１】
このように、動的精細度調整方法５００では大小の対象画像が出力する異なる精細度信号を判別することで、引き続き画像中における小さな対象画像および大きな対象画像に対してそれぞれ異なる精細度を調整することができる。
【００４２】
確かに本発明では実施例を上記のように開示したが、これは本発明を限定するためのものではなく、当業者であれば、本発明の技術的思想および範囲を逸脱することなく、各種の変更および付加を行うことができるので、本発明の保護範囲は別紙の特許請求の範囲による限定を基準と見なす。
【符号の説明】
【００４３】
１００  動的精細度調整装置
１１０  信号バッファリング回路
１２０  対象画像識別回路
１３０  電圧コンバータ
１４０  画質精細度増強回路
１５０  インピーダンスマッチングおよび増幅回路
２１０  信号源
２２０  画像処理システム
３１０  小さな対象画像
３１２  第１のパルス群
３１４  第１の対象画像信号
３２０  大きな対象画像
３２４  第２の対象画像信号
Ｃ１〜Ｃ５  キャパシタ
Ｄ１  ダイオード
Ｒ１〜Ｒ６  抵抗器
Ｑ１、Ｑ３  バイポーラトランジスタ
Ｑ２  ＭＯＳ電界効果トランジスタ
４１０、４２０  画像
５００  動的精細度調整方法
５１０〜５５０  ステップ
【図１】
2010166542.tif 000003
【図２】
2010166542.tif 000004
【図３】
2010166542.tif 000005
【図５】
2010166542.tif 000006
【図４】
2010166542.tif 000007